(57)【要約】      （修正有）【課題】電圧降下の状況を簡単に目視することができるコードリールを提供する。【解決手段】コードリールは、胴部、電源コンセント５を含む第１側板３および第２側板を有するドラム本体１０と、ドラム本体を回転可能に支持するスタンド２０と、電源コンセントに供給される電圧値を段階的に表示する電圧降下表示装置とを備える。電圧降下表示装置は、第１側板上に取り付けられた第１電圧表示ランプ３１および第２電圧表示ランプ３２と、第１および第２電圧表示ランプの点灯を制御する制御回路とを備える。制御回路は、電源コンセントに供給される電圧が第１閾値電圧以上の場合に第１および第２電圧表示ランプの両者を点灯し、電源コンセントに供給される電圧が第１閾値電圧よりも低く、第１閾値電圧よりも低い第２閾値電圧以上の場合に、第１電圧表示ランプを消灯し、第２電圧表示ランプを点灯する。【選択図】図１
0003230283.tif 000002
【実用新案登録請求の範囲】
【請求項１】
電気コードが巻き付けられる胴部と、前記胴部の一方端に取り付けられ、前記電気コードと電気的に接続された電源コンセントを含む第１側板と、前記胴部の他方端に取り付けられる第２側板とを有するドラム本体と、
前記ドラム本体を回転可能に支持するスタンドと、
前記電気コードと電気的に接続され、前記電源コンセントに供給される電圧値を段階的に表示する電圧降下表示装置とを備え、
前記電圧降下表示装置は、前記第１側板上に取り付けられた第１電圧表示ランプおよび第２電圧表示ランプと、前記第１電圧表示ランプおよび第２電圧表示ランプの点灯を制御する制御回路とを備えており、
前記制御回路は、前記電源コンセントに供給される電圧が第１閾値電圧以上の場合に前記第１電圧表示ランプおよび第２電圧表示ランプの両者を点灯し、前記電源コンセントに供給される電圧が前記第１閾値電圧よりも低く、前記第１閾値電圧よりも低い第２閾値電圧以上の場合に、前記第１電圧表示ランプを消灯し、前記第２電圧表示ランプを点灯するように制御する、コードリール。
【請求項２】
前記電圧降下表示装置は、前記第１側板上に取り付けられた第３電圧表示ランプを備え、
前記制御回路は、前記電源コンセントに供給される電圧が前記第２閾値電圧よりも低く、前記第２閾値電圧よりも低い第３閾値電圧以上の場合に、前記第１電圧表示ランプおよび第２電圧表示ランプを消灯し、前記第３電圧表示ランプを点灯するように制御する、請求項１に記載のコードリール。
【請求項３】
前記制御回路は、前記電源コンセントに供給される電圧が前記第３閾値電圧よりも低い場合に、前記第１電圧表示ランプ、第２電圧表示ランプおよび第３電圧表示ランプを消灯するように制御する、請求項２に記載のコードリール。
【請求項４】
前記第１側板上で、上方位置から下方位置に向かって順に、前記第１電圧表示ランプ、第２電圧表示ランプおよび第３電圧表示ランプが並んで配置されている、請求項２または３に記載のコードリール。
【請求項５】
前記第１側板上に、上段、中段および下段を有する階段の図形が設けられており、
前記第１電圧表示ランプは前記階段の図形の上段上に配置され、前記第２電圧表示ランプは前記階段の図形の中段上に配置され、前記第３電圧表示ランプは前記階段の図形の下段上に配置されている、請求項２〜４のいずれかに記載のコードリール。
【請求項６】
前記第１側板上に、前記電気コードが電源に接続されていることを表示する電源表示ランプが取り付けられており、
前記電源表示ランプは、前記階段の図形に隣接して配置されている、請求項５に記載のコードリール。
【請求項７】
前記第１閾値電圧は９５Ｖであり、前記第２閾値電圧は９０Ｖであり、前記第３閾値電圧は８５Ｖである、請求項２〜６のいずれかに記載のコードリール。
【請求項８】
前記第１電圧表示ランプは緑色の光を出し、前記第２電圧表示ランプは黄色の光を出し、前記第３電圧表示ランプは赤色の光を出す、請求項２〜７のいずれかに記載のコードリール。
【考案の詳細な説明】
【技術分野】
【０００１】
この考案は、電気コードを引き出し可能なコードリールに関するものであって、特に電気コードの通電状態を表示する表示機構を備えたコードリールに関するものである。
【背景技術】
【０００２】
電源から離れた作業現場においては、電源供給のために、長尺な電気コードと電源コンセントとを備えたコードリールが用いられる。作業者は、電源に接続されたコードリールの電源コンセントに電動工具やランプ等を接続して作業を行う。その際に、電気コード内を流れる電流や電圧に変動が生じることが多々ある。
【０００３】
実開昭６１−１２０２１４号公報（特許文献１）は、ドラムに巻回された電気コードの過電流を表示する機構を備えた電気コードリールを開示している。
【０００４】
上記公報に開示された電気コードリールでは、コードリール本体の所定の部位に、電気コードに流れる電流を表示する電流計、および過電流を表示するランプを設けて、電気コードの許容電流との対比を外部から容易に把握できるようにしている。
【先行技術文献】
【特許文献】
【０００５】
【特許文献１】実開昭６１−１２０２１４号公報
【考案の概要】
【考案が解決しようとする課題】
【０００６】
この種のコードリールでは、電気コードを介して電源コンセントに供給される電圧の降下が問題になることがあるが、上記の特許文献１は電圧降下に対して特に意識をしていない。
【０００７】
電圧降下は、電圧を印加した電線において、末端になるに従って電圧が低くなっていく現象である。電線が持つわずかな電気的抵抗により、電圧を印加し電流が流れることで発熱が生じ、電線全体が熱を発生させる負荷と同様になり、電圧が低下する。電線が細ければ細いほど、また長ければ長いほど電気抵抗値が大きくなり、電圧降下も大きくなる。
【０００８】
建設現場などでは、電気を取る場所が離れていることがあり、その場合には延長コードやコードリールを使う。コードの長さが５０ｍを超えるような場合もあり、電圧降下が発生する。また、建設現場などでは電気を取る場所が限られているため、複数の機械や工具に電源を供給するのに共通の一つのコードリールを使うことが多い。その場合には、使用電流（負荷電流）が大きくなり、電圧降下が発生する。
【０００９】
例えば、２ｓｑ×３芯×３０Ｍの電気コードを有するコードリールを想定すると、コードリールの電源コンセントから出力される計算上の電圧は、以下の通りである。
【００１０】
５Ａの電流を使用したとき、１００Ｖの電圧から２．６７Ｖ降下し、９７．３３Ｖになる。１０Ａの電流を使用したとき、１００Ｖの電圧から５．３４Ｖ降下し、９４．６６Ｖになる。１５Ａの電流を使用したとき、１００Ｖの電圧から８．０１Ｖ降下し、９１．９９Ｖになる。
【００１１】
電圧降下量が大きい場合、例えば、次のような問題が生ずる。
【００１２】
ａ）電動工具ドリルなどでは、回転不足で作業効率が低下する。また、モータが過負荷となり、故障の原因となる。
【００１３】
ｂ）ハロゲンランプなどの白熱電灯を使用している際に、本来の明るさを発揮できなくなり、暗くなる。
【００１４】
ｃ）水銀灯などの放電灯の使用時に消灯してしまうことがある。放電灯の特性として、一度消えると電球が冷めるまで再点灯できないので、作業ができなくなる。
【００１５】
通常、電圧降下は、専用の計測器（テスター）を用いて検出するが、そのような専用の計測器を用いなくても、コードリール上で簡単に目視するようにすることが望まれる。
【００１６】
本考案の目的は、電圧降下の状況を簡単に目視することができるコードリールを提供することである。
【課題を解決するための手段】
【００１７】
本考案に係るコードリールは、ドラム本体と、ドラム本体を回転可能に支持するスタンドと、電圧降下表示装置とを備える。ドラム本体は、電気コードが巻き付けられる胴部と、胴部の一方端に取り付けられ、電気コードと電気的に接続された電源コンセントを含む第１側板と、胴部の他方端に取り付けられる第２側板とを有する。
【００１８】
電圧降下表示装置は、電気コードと電気的に接続され、電源コンセントに供給される電圧値を段階的に表示するものであり、第１側板上に取り付けられた第１電圧表示ランプおよび第２電圧表示ランプと、第１電圧表示ランプおよび第２電圧表示ランプの点灯を制御する制御回路とを備えている。
【００１９】
制御回路は、電源コンセントに供給される電圧が第１閾値電圧以上の場合に第１電圧表示ランプおよび第２電圧表示ランプの両者を点灯し、電源コンセントに供給される電圧が第１閾値電圧よりも低く、第１閾値電圧よりも低い第２閾値電圧以上の場合に、第１電圧表示ランプを消灯し、第２電圧表示ランプを点灯するように制御する。
【００２０】
好ましい実施形態では、電圧降下表示装置は、さらに、第１側板上に取り付けられた第３電圧表示ランプを備える。この場合、制御回路は、電源コンセントに供給される電圧が第２閾値電圧よりも低く、第２閾値電圧よりも低い第３閾値電圧以上の場合に、第１電圧表示ランプおよび第２電圧表示ランプを消灯し、第３電圧表示ランプを点灯するように制御する。
【００２１】
好ましくは、制御回路は、電源コンセントに供給される電圧が第３閾値電圧よりも低い場合に、第１電圧表示ランプ、第２電圧表示ランプおよび第３電圧表示ランプを消灯するように制御する。
【００２２】
一つの実施形態では、第１側板上で、上方位置から下方位置に向かって順に、第１電圧表示ランプ、第２電圧表示ランプおよび第３電圧表示ランプが並んで配置されている。
【００２３】
好ましい実施形態では、第１側板上に、上段、中段および下段を有する階段の図形が設けられており、第１電圧表示ランプは階段の図形の上段上に配置され、第２電圧表示ランプは階段の図形の中段上に配置され、第３電圧表示ランプは階段の図形の下段上に配置されている。
【００２４】
好ましくは、第１側板上に、電気コードが電源に接続されていることを表示する電源表示ランプが取り付けられている。この電源表示ランプは、好ましくは、階段の図形に隣接して配置されている。
【００２５】
好ましくは、第１閾値電圧は９５Ｖであり、第２閾値電圧は９０Ｖであり、第３閾値電圧は８５Ｖである。
【００２６】
視覚的に注意を喚起するために、好ましくは、第１電圧表示ランプは緑色の光を出し、第２電圧表示ランプは黄色の光を出し、第３電圧表示ランプは赤色の光を出す。
【考案の効果】
【００２７】
上記構成の本考案に係るコードリールによれば、電圧降下の状況を作業者が簡単に目視できるので、作業効率を上げることができる。
【図面の簡単な説明】
【００２８】
【図１】本考案の一実施形態に係るコードリールの正面図である。
【図２】図１に示したコードリールの側面図である。
【図３】図１に示したコードリールの背面図である。
【図４】図１のＡ部分の拡大図である。
【図５】第１、第２および第３電圧表示ランプの点灯を制御する制御回路図である。
【考案を実施するための形態】
【００２９】
以下、本考案の一実施形態に係るコードリールを図面に基づき説明する。図1〜図３は、コードリールの正面図、右側面図および背面図である。
【００３０】
コードリールは、例えば電源から離れた作業現場において、電源供給のために用いられるものであって、外部電源に接続される差し込みプラグ１ａを先端に有する長尺な電気コード１と、ドラム本体１０と、ドラム本体１０を回転可能に支持するスタンド２０と、電圧降下表示装置とを備える。
【００３１】
ドラム本体１０は、電気コード１が巻き付けられる胴部２と、胴部２の一方端（前方端）に取り付けられた第１側板３と、胴部２の他方端（後方端）に取り付けられた第２側板４とを有する。第１側板３には、電気コード１と電気的に接続された３個の電源コンセント５が取り付けられている。各電源コンセント５には、雨水の浸入を防ぐためのキャップ５ａが付属している。
【００３２】
図１に示すように、第１側板３には、さらに、ドラム本体１０を回転操作するためのつまみ６、アース端子７、電源表示ランプ３０、第１電圧表示ランプ３１、第２電圧表示ランプ３２および第３電圧表示ランプ３３が設けられている。電源表示ランプ３０は、電気コード１が電源に接続されているときに点灯し、接続されていないときに消灯する。
【００３３】
第１電圧表示ランプ３１、第２電圧表示ランプ３２および第３電圧表示ランプ３３は、電圧降下表示装置の構成要素であるが、この点については後に詳細に説明する。
【００３４】
スタンド２０は、地面または床面に置かれるコの字状の土台フレーム部２１と、土台フレーム部２１の一方の後方端から第２側板４の中心に向かって延びる第１スタンドフレーム部２２と、第１スタンドフレーム部２２の上方端から前方に向かって延び、第１側板３および第２側板４を回転自在に支持する軸フレーム部２３と、土台フレーム部２１の他方の後方端から斜め上方に向かって延びる第２スタンドフレーム部２４と、第２スタンドフレーム部２４の上方端から前方に向かって延びる取手フレーム部２５とを備える。取手フレーム部２５には、指で掴むためのグリップ２５ａが取り付けられている。
【００３５】
図３に示すように、第２側板４には、過負荷漏電遮断器２７が取り付けられている。図３において第２スタンドフレーム部２４と第２側板４の縁とを接続しているのは、ストッパ２６である。ストッパ２６は、その基端が第２スタンドフレーム部２４に連結され、その先端が第２側板４の縁に離脱可能に係合している。ストッパ２６の先端が第２側板４の縁に係合している状態では、ドラム本体１０の自由回転を止めることができる。ドラム本体１０を回転させる場合には、ストッパ２６の先端と第２側板４の縁との係合を解除する。
【００３６】
本考案に係るコードリールの重要な特徴は、第１側板３に取り付けられている電源コンセント５に供給される電圧値を段階的に表示する電圧降下表示装置を備える点にある。この電圧降下表示装置は、電気コード１に電気的に接続されている。
【００３７】
図４は、図１のＡ部を拡大して示す図である。電圧降下表示装置は、第１側板３に取り付けられた第１電圧表示ランプ３１と、第２電圧表示ランプ３２と、第３電圧表示ランプ３３と、これらの電圧表示ランプ３１，３２，３３の点灯を制御する制御回路４０（図５参照）とを備える。電圧表示ランプは、電圧値を段階的に知らせるために複数個あればよく、その数に制約はない。図示した実施形態では、３個の電圧表示ランプを採用している。
【００３８】
図５に示す制御回路４０を参照して、電圧降下表示装置の動作を説明する。図５において、交流電源からの入力（Ｌ，Ｎ）が、整流ダイオードＢＤを経由して、並列に設けられたコンデンサ部４４、第１電圧表示部４１、第２電圧表示部４２および第３電圧表示部４３に導かれる。コンデンサ部４４内のＣはコンデンサである。第１、第２、第３電圧表示部４１，４２，４３は、それぞれ、電流制限抵抗Ｒ１，Ｒ２，Ｒ３と、定電圧ダイオードＺＤ１，ＺＤ２，ＺＤ３と、電圧表示ＬＥＤ１、ＬＥＤ２，ＬＥＤ３とを備える。電圧表示ＬＥＤ１，ＬＥＤ２，ＬＥＤ３は、第１、第２、第３電圧表示ランプ３１，３２，３３に対応する。電流制限抵抗Ｒ１，Ｒ２，Ｒ３の抵抗値と定電圧ダイオードＺＤ１，ＺＤ２，ＺＤ３のツェナー電圧で、後述する動作を達成するようにしている。
【００３９】
図示した実施形態では、３個の電圧表示ランプ３１，３２，３３が使用されており、３つの閾値電圧が設定されている。第１閾値電圧が最も高く、例えば９５Ｖである。第２閾値電圧は、第１閾値電圧よりも低く、例えば９０Ｖである。第３閾値電圧は、第２閾値電圧よりも低く、例えば８５Ｖである。
【００４０】
制御回路４０は、電源コンセント５に供給される実際の電圧値と、各閾値電圧との関係に依存して、第１、第２、第３電圧表示ランプの点灯を次のように制御する。
【００４１】
ａ）電源コンセント５に供給される実際の電圧が第１閾値電圧以上の場合には、第１、第２、第３表示ランプ３１，３２，３３の全てを点灯する。
【００４２】
ｂ）電源コンセント５に供給される実際の電圧が第１閾値電圧よりも低く、第２閾値電圧以上の場合には、第１電圧表示ランプ３１を消灯し、第２および第３電圧表示ランプ３２，３３を点灯する。
【００４３】
ｃ）電源コンセント５に供給される実際の電圧が第２閾値電圧よりも低く、第３閾値電圧以上の場合には、第１、第２電圧表示ランプ３１，３２を消灯し、第３電圧表示ランプ３３を点灯する。
【００４４】
ｄ）電源コンセント５に供給される実際の電圧が第３閾値電圧よりも低い場合には、第１、第２、第３電圧表示ランプ３１，３２，３３の全てを消灯する。
【００４５】
本考案の実施形態では、電圧降下の状況を視覚的に即座に見やすくするために、以下の工夫を行っている。すなわち、図４に示すように、第１側板３上で、上方位置から下方位置に向かって順に、第１電圧表示ランプ３１、第２電圧表示ランプ３２および第３電圧表示ランプ３３が並んで配置されている。
【００４６】
より好ましい形態として、第１側板３上に、上段５１、中段５２および下段５３を有する階段の図形５０が設けられている。図形には、上段５１を示す部分に「９５Ｖ以上」が記載され、中段５２を示す部分に「９４Ｖ−９０Ｖ」が記載され、下段５３を示す部分に「８９Ｖ−８５Ｖ（８５Ｖ未満消灯）」が記載されている。第１電圧表示ランプ３１は、階段の図形５０の上段５１上に配置され、第２電圧表示ランプ３２は、階段の図形５０の中段５２上に配置され、第３電圧表示ランプ３３は、階段の図形５０の下段５３上に配置されている。
【００４７】
電圧がほぼ正常な状態であるのか、注意すべき状態であるのか等を視覚的に見やすくするために、第１電圧表示ランプ３１は緑色の光を出し、第２電圧表示ランプ３２は黄色の光を出し、第３電圧表示ランプ３３は赤色の光を出すようにしている。
【００４８】
また、電気コード１が電源に接続されていることを表示する電源表示ランプ３０は、階段図形５０の横に隣接して配置される。
【００４９】
上記構成の本考案の一実施形態によれば、以下に述べるような作用効果が得られる。
【００５０】
従来のコードリールでは、専用の計測器（テスター）を購入し、この専用計測器を用いて電圧降下を検出することが必要であったが、本考案の実施形態では、専用の計測器を用いることなく、作業者がコードリールの側板に設けられた電圧表示ランプを見るだけで視覚的に電圧降下が生じているのかどうか、また、どの程度の電圧降下なのか等を容易に知ることができる。したがって、作業効率が飛躍的に上昇する。
【００５１】
また、段階的に電圧降下の状態を見ることができるので、使用している負荷機器の中でどの負荷が電圧降下に大きく影響を及ぼしているのかを容易に知ることができる。すなわち、問題発生時の原因の解明や状況判断が可能になる。
【００５２】
また、低電圧回避の安全装置がない電動工具の使用時に、電圧を確認しながら作業を続けることができる。
【００５３】
また、３個の電圧表示ランプを色別に分けることにより、コードリールから離れた場所にいても、実際の使用電圧の状況を目視にて確認することができる。
【００５４】
現場によっては、電圧降下の度合いが大きく、電源コンセントから電圧が出ていない場合もあるが、その場合には昇圧器などの準備をすることができる。
【００５５】
コンプレッサなどの消費電力の大きいものについては仮設直結での使用が望ましいが、直結不可の場合には電圧を確認しながら作業を行うことができる。
【００５６】
また、コードリールに接続して使用される機器は多種多様であり、使用可能な電圧範囲もそれぞれ異なっているので、段階的な電圧の表示は作業性を向上させる。例えば電動工具であれば、一般用製品の許容入力電圧は±１０％、業務用製品の許容入力電圧は±１５〜２０％に設定されていることが多い。また、許容入力電圧は、メーカーによっても異なる。
【００５７】
以上、図面を参照して本考案の実施形態を説明したが、本考案の範囲は図示した実施形態に限定されるものではなく、本考案と実質的に同一の範囲または均等の範囲内で種々の修正や変更が可能である。
【産業上の利用可能性】
【００５８】
本考案は、電圧降下の状況を視覚的に見やすくしたコードリールとして有利に利用され得る。
【符号の説明】
【００５９】
１  電気コード、１ａ  差し込みプラグ、２  胴部、３  第１側板、４  第２側板、５  電源コンセント、５ａ  キャップ、６  つまみ、７  アース端子、１０  ドラム本体、  ２０  スタンド、２１  土台フレーム部、２２  第１スタンドフレーム部、２３  軸フレーム部、２４  第２スタンドフレーム部、２５  取手フレーム部、２５ａ  グリップ、２６  ストッパ、２７  過負荷漏電遮断器、３０  電源表示ランプ、３１  第１電圧表示ランプ、３２  第２電圧表示ランプ、３３  第３電圧表示ランプ、４０  制御回路、４１  第１電圧表示部、４２  第２電圧表示部、４３  第３電圧表示部、４４  コンデンサ部、５０  階段の図形、５１  上段、５２  中段、５３  下段。
【図１】
0003230283.tif 000003
【図２】
0003230283.tif 000004
【図３】
0003230283.tif 000005
【図４】
0003230283.tif 000006
【図５】
0003230283.tif 000007